(57)【要約】【課題】工具収納用ポケット部の傷みを生じ易い部位に効果的な補強構造を具備する工具差しを提案すること。【解決手段】台板１の表面の左右両側縁部に、ポケット形成用布材３の左右両側縁部を縫着することによって台板１の表面側に上部開口形の工具収納用ポケット部２を形成した工具差しにおいて、前記ポケット形成用布材３の上部左右部と前記台板１との縫着部分若しくはこの縫着部分の近傍に、断面コ字状の開口部側補強カバー４を被嵌固定し、前記ポケット形成用布材３の下部左右部と前記台板１との縫着部分若しくはこの縫着部分の近傍に、断面コ字状の下部側補強カバー５を被嵌固定した工具差し。【選択図】図１
0003171948.tif 000002
【実用新案登録請求の範囲】
【請求項１】
台板の表面の左右両側縁部に、ポケット形成用布材の左右両側縁部を縫着することによって台板の表面側に上部開口形の工具収納用ポケット部を形成した工具差しにおいて、前記ポケット形成用布材の上部左右部と前記台板との縫着部分若しくはこの縫着部分の近傍に、断面コ字状の開口部側補強カバーを被嵌固定し、前記ポケット形成用布材の下部左右部と前記台板との縫着部分若しくはこの縫着部分の近傍に、断面コ字状の下部側補強カバーを被嵌固定したことを特徴とする工具差し。
【請求項２】
前記台板の表面の左右両側縁部に、前記ポケット形成用布材の左右両側縁部を重合し、この左右両側の重合部を縁取り材で被覆しつつ縫着することで台板の表面側に上部開口形の前記工具収納用ポケット部を形成した構成とし、前記ポケット形成用布材の上部左右部と前記台板の縫着部分若しくはこの縫着部分の近傍に、この縫着部分若しくはその近傍を被覆している前記縁取り材の上から断面コ字状の前記開口部側補強カバーを被嵌固定し、前記ポケット形成用布材の下部左右部と前記台板の縫着部分若しくはこの縫着部分の近傍に、この縫着部分若しくはその近傍を被覆している前記縁取り材の上から断面コ字状の前記下部側補強カバーを被嵌固定したことを特徴とする請求項１記載の工具差し。
【請求項３】
前記下部側補強カバーは、前記ポケット形成用布材の下部左右部と前記台板の縫着部分若しくはこの縫着部分の近傍から台板の下部中央部に至る所定範囲に被嵌固定可能な形状に形成したことを特徴とする請求項１，２のいずれか１項に記載の工具差し。
【請求項４】
前記開口部側補強カバーと前記下部側補強カバーとは、前記台板にリベット止めしたことを特徴とする請求項１〜３のいずれか１項に記載の工具差し。
【考案の詳細な説明】
【技術分野】
【０００１】
本考案は、建設現場や工事現場などで作業者が工具を携帯するために使用する工具差しに関するものである。
【背景技術】
【０００２】
使用頻度の高い手持ち工具を腰に吊り下げて携帯するための工具差しが従来から実施されている。
【０００３】
一般的な工具差しは、作業者着用の腰ベルトに係止して装着するもので、比較的硬質な素材で形成された台板の上部にベルト通し部が設けられると共に、台板に布材が縫着されることによって工具収納用のポケットが設けられた構造である。
【０００４】
ところで、この種の工具差しは、工具出し入れの際の乱暴な取り扱いなどが要因で台板とポケット（布材）の上部左右の接続部分に傷みを生じ易い。
【０００５】
そこで、従来、下記特許文献１のように、ポケットの上部左右のリベット取付位置に、台板の表裏面にわたる皮革状補強板を配置することによって、この台板とポケットの上部左右の接続部分を補強したものが提案されている。
【先行技術文献】
【特許文献】
【０００６】
【特許文献１】特開２００８−１４９４２９号公報
【考案の概要】
【考案が解決しようとする課題】
【０００７】
本考案は、上記特許文献１のような台板とポケットの上部左右の接続部分に補強構造を具備する工具差しの改良に係るもので、台板とポケットの上部左右の接続部分に効果的な補強構造を具備すると共に、傷みを生じ易いポケットの下部にも効果的な補強構造を具備する実用性に優れた工具差しを提案するものである。
【課題を解決するための手段】
【０００８】
添付図面を参照して本考案の要旨を説明する。
【０００９】
台板１の表面の左右両側縁部に、ポケット形成用布材３の左右両側縁部を縫着することによって台板１の表面側に上部開口形の工具収納用ポケット部２を形成した工具差しにおいて、前記ポケット形成用布材３の上部左右部と前記台板１との縫着部分若しくはこの縫着部分の近傍に、断面コ字状の開口部側補強カバー４を被嵌固定し、前記ポケット形成用布材３の下部左右部と前記台板１との縫着部分若しくはこの縫着部分の近傍に、断面コ字状の下部側補強カバー５を被嵌固定したことを特徴とする工具差しに係るものである。
【００１０】
また、前記台板１の表面の左右両側縁部に、前記ポケット形成用布材３の左右両側縁部を重合し、この左右両側の重合部を縁取り材６で被覆しつつ縫着することで台板１の表面側に上部開口形の前記工具収納用ポケット部２を形成した構成とし、前記ポケット形成用布材３の上部左右部と前記台板１の縫着部分若しくはこの縫着部分の近傍に、この縫着部分若しくはその近傍を被覆している前記縁取り材６の上から断面コ字状の前記開口部側補強カバー４を被嵌固定し、前記ポケット形成用布材３の下部左右部と前記台板１の縫着部分若しくはこの縫着部分の近傍に、この縫着部分若しくはその近傍を被覆している前記縁取り材６の上から断面コ字状の前記下部側補強カバー５を被嵌固定したことを特徴とする請求項１記載の工具差しに係るものである。
【００１１】
また、前記下部側補強カバー５は、前記ポケット形成用布材３の下部左右部と前記台板１の縫着部分若しくはこの縫着部分の近傍から台板１の下部中央部に至る所定範囲に被嵌固定可能な形状に形成したことを特徴とする請求項１，２のいずれか１項に記載の工具差しに係るものである。
【００１２】
また、前記開口部側補強カバー４と前記下部側補強カバー５とは、前記台板１にリベット７止めしたことを特徴とする請求項１〜３のいずれか１項に記載の工具差しに係るものである。
【考案の効果】
【００１３】
本考案は上述のように構成したから、工具の出し入れなどによって破損し易い工具収納用ポケット部の上部左右部と下部左右部とを強固に補強でき、乱暴に取り扱われても簡単には破損することのない長期使用に耐え得る工具差しとなり、しかも、経年使用で損傷し易い台板の下部左右部も下部側補強カバーによって強固に補強するため、この部位も損傷しにくいなど、極めて実用性に優れた工具差しとなる。
【００１４】
また、請求項２記載の考案においては、縁取り材によって台板の表面の左右側縁部とポケット形成用布材の左右側縁部との縫着部分が補強されると共に、この縫着部分若しくはその近傍を補強カバーによって更に補強するので、一層耐久性が高く、実用性に優れた工具差しとなる。
【００１５】
また、請求項３記載の考案においては、経年使用により損傷し易い台板の下部の全域を下部側補強カバーが被覆して補強するため、この台板の下部全域が何かに接触するなどしても損傷しにくい一層実用性に優れた工具差しとなる。
【００１６】
また、請求項４記載の考案においては、開口部側補強カバーと下部側補強カバーとを簡易に且つ確実に固定できる一層実用性に優れた構成の工具差しとなる。
【図面の簡単な説明】
【００１７】
【図１】実施例１を示す正面図である。
【図２】実施例１を示す、開口部側補強カバーと下部側補強カバーの説明分解斜視図である。
【図３】実施例１を示す側断面図である。
【図４】実施例１の使用状態を示す説明正面図である。
【図５】実施例２を示す正面図である。
【図６】実施例２を示す側断面図である。
【図７】実施例２の使用状態を示す説明正面図である。
【考案を実施するための形態】
【００１８】
好適と考える本考案の実施形態を、図面に基づいて本考案の作用を示して簡単に説明する。
【００１９】
本工具差しを作業者が身に付けることにより、工具収納用ポケット部２に工具８を収納して携帯することができる。
【００２０】
また、本考案の工具収納用ポケット部２は、ポケット形成用布材３の上部左右部と前記台板１との縫着部分若しくはこの縫着部分の近傍に、断面コ字状の開口部側補強カバー４を被嵌固定しているので、この工具収納用ポケット部２の上部左右部の縫着部分が開口部側補強カバー４によって強固に補強されることになる。
【００２１】
また、この工具収納用ポケット部２は、ポケット形成用布材３の下部左右部と前記台板１との縫着部分若しくはこの縫着部分の近傍にも、断面コ字状の下部側補強カバー５を被嵌固定しているので、この工具収納用ポケット部２の下部左右部の縫着部分も下部側補強カバー５によって強固に補強されることになる。
【００２２】
従って、この工具収納用ポケット部２への工具８の出し入れが乱暴であっても、ポケット形成用布材３の上下の左右部と前記台板１との縫着部分が簡単に破損してしまうようなことはない。
【００２３】
また、経年使用で損傷し易い台板１の下部左右部も下部側補強カバー５によって強固に補強されているので、この部位が損傷しにくくなる。
【００２４】
従って、本考案は、開口部側補強カバー４と下部側補強カバー５とによって、劣化・損傷の著しい部位を補強でき、これにより著しい耐久力を発揮し、商品寿命が長く長期使用に耐え得る商品価値の高い工具差しとなる。
【００２５】
また、例えば、前記台板１の表面の左右両側縁部に、前記ポケット形成用布材３の左右両側縁部を重合し、この左右両側の重合部を縁取り材６で被覆しつつ縫着することで台板１の表面側に上部開口形の前記工具収納用ポケット部２を形成した構成とし、前記ポケット形成用布材３の上部左右部と前記台板１の縫着部分若しくはこの縫着部分の近傍に、この縫着部分若しくはその近傍を被覆している前記縁取り材６の上から断面コ字状の前記開口部側補強カバー４を被嵌固定し、前記ポケット形成用布材３の下部左右部と前記台板１の縫着部分若しくはこの縫着部分の近傍に、この縫着部分若しくはその近傍を被覆している前記縁取り材６の上から断面コ字状の前記下部側補強カバー５を被嵌固定した場合には、縁取り材６の使用により台板の表面左右側縁部とポケット形成用布材３の左右側縁部との縫着部分を一層強固に補強できる。
【００２６】
また、例えば、前記下部側補強カバー５は、前記ポケット形成用布材３の下部左右部と前記台板１の縫着部分若しくはこの縫着部分の近傍から台板１の下部中央部に至る所定範囲に被嵌固定可能な形状に形成した場合には、経年使用により損傷し易い台板１の下部の全域も下部側補強カバー５が被覆して補強することになるので、この台板１の下部全域が何かに接触するなどしても損傷しにくい。
【００２７】
また、例えば、前記開口部側補強カバー４と前記下部側補強カバー５とは、前記台板１にリベット７止めした場合には、開口部側補強カバー４と下部側補強カバー５とを簡易に且つ確実に固定できる。
【実施例１】
【００２８】
本考案の具体的な実施例１について図１〜図４に基づいて説明する。
【００２９】
本実施例は、ペンチ差しに適用した場合である。
【００３０】
本実施例は、台板１の表面の左右両側縁部に、ポケット形成用布材３の左右両側縁部を縫着することによって台板１の表面側に上部開口形の工具収納用ポケット部２を形成している。
【００３１】
台板１は、発泡ポリエチレンシートの表裏面にポリエステル織布を積層して成る三層構造の硬質な合成樹脂製布地を用いて上下方向に長さを有する帯板状体に形成している。
【００３２】
また、この台板１は、その上部を裏面側に折り返すと共に折り返し先端部を台板１裏面の中ほどにリベット７止めすることによって、作業者の腰ベルトＢなどに係止可能な環状のベルト通し部９を構成している。
【００３３】
また、この台板１の表面には、強度の高いポリエチレン製シートを採用した保護部材10を積層状態に付設し、この保護部材10によって工具収納用ポケット部２より工具８を出し入れする際に台板１表面が傷付くことを防止した構成としている。
【００３４】
また、この保護部材10は、ペンチ８Ａ（工具８）が当たり易い部位に設けている。即ち工具収納用ポケット部２の開口部より上方側の台板１表面部位から、工具収納用ポケット部２の内面（台板１表面）に至る範囲に保護部材10を付設している。
【００３５】
図中符号11は、工具８の落下防止用安全ロープなどを取付するための取付孔である。
【００３６】
また、前記ポケット形成用布材３は、ポリエステルなどの合成樹脂製布地で構成している。
【００３７】
また、このポケット形成用布材３は、台板１より左右幅を広く形成して、このポケット形成用布材３の中央部を台板１の表面側へ弛ませた状態でその左右両側縁部を台板１の表面の左右両側縁部に縫着することにより、上部開口部が常に開口する前記工具収納用ポケット部２を形成した構成としている。
【００３８】
また、ポケット形成用布材３の台板１への縫着構造を更に詳しく説明すると、前記台板１の表面の左右両側縁部に、前記ポケット形成用布材３の左右両側縁部を重合し、この左右両側の重合部を、バイヤステープ６を採用した縁取り材６で被覆しつつ、内，外のダブルラインで縫着した構成としている。
【００３９】
また、図面は、縁取り材６を台板１の全周にわたって施して、台板１の全周を補強した場合を示している。
【００４０】
また、このポケット形成用布材３は、その下縁部が台板１の下縁部より上方に位置する上下長さのものを採用して、下部が開放する前記工具収納用ポケット部２を構成し、これにより長さのある工具８も収納できるようにしている。
【００４１】
また、図面では、このポケット形成用布材３の表面に、メッシュ材で構成した収納ポケット12を設けて、この収納ポケット12に小物などを収納できるように構成している。
【００４２】
本実施例は、前記ポケット形成用布材３の上部左右部と前記台板１の縫着部分に、この縫着部分を被覆している前記縁取り材６の上から断面コ字状の開口部側補強カバー４を被嵌固定している。
【００４３】
この開口部側補強カバー４は、ポリプロピレンなどの合成樹脂製とし、正面視で後述するリベット７よりやや大きい方形状であって、平断面形状がコ字状を呈する形状に一体成形している。
【００４４】
また、この開口部側補強カバー４の固定構造は、ポケット形成用布材３の上部左右部と前記台板１の縫着部分を被覆している縁取り材６の外方から被嵌した上で、この開口部側補強カバー４と縁取り材６とポケット形成用布材３と台板１とを貫通するリベット７によって固定した構造としている。
【００４５】
また、本実施例では、前記ポケット形成用布材３の下部左右部と前記台板１の縫着部分より下側の近傍位置に、この位置を被覆している前記縁取り材６の上から断面コ字状の下部側補強カバー５を被嵌固定している。
【００４６】
下部側補強カバー５は、前記開口部側補強カバー４と同様に、ポリプロピレンなどの合成樹脂製とし、前記ポケット形成用布材３の下部左右部と前記台板１の縫着部分より下側近傍位置から台板１の下部中央部に至る所定範囲に被嵌固定可能な形状であって、側断面形状がコ字状を呈する形状に一体成形している。更に詳しくは、下部側補強カバー５は、正面視半円弧状に形成した前記台板１の下部の形状に同調させて正面視Ｕ字状に成形している。
【００４７】
また、この下部側補強カバー５の固定構造は、ポケット形成用布材３の下部左右部と前記台板１の縫着部分の下側近傍位置を被覆している縁取り材６の外方から被嵌した上で、前記開口部側補強カバー４と同様にこの下部側補強カバー４と縁取り材６とポケット形成用布材３と台板１とを貫通するリベット７によって固定した構造としている。更に詳しくは、下部側補強カバー５の両端位置と中間位置との三箇所でリベット７止めした構造としている。
【００４８】
尚、開口部側補強カバー４と下部側補強カバー５は、金属製でも良い。
【実施例２】
【００４９】
本考案の具体的な実施例２について図５〜図７に基づいて説明する。
【００５０】
本実施例は、ドライバー差しに適用した場合である。
【００５１】
具体的には、台板１の上下方向の長さを、ドライバー８Ｂ（工具８）の長さに応じて前記実施例１より延長した構成としている。
【００５２】
また、本実施例では、ポケット形成用布材３の中央部を台板１の表面に館方向に縫着して工具収納用ポケット部２の収納空間を左右に二分割し、この左右の収納空間に一本ずつドライバー８Ｂを収納し得るように構成している。
【００５３】
また、図示したポケット形成用布材３は、その下縁部が台板１の下縁部にまで位置する上下長さのものを採用して、下部が閉塞する前記工具収納用ポケット部２を構成し、このポケット形成用布材３の下縁部も台板１の下縁部と共に前記下部側補強カバー５に被嵌される構成としている。
【００５４】
他の構成は、前記実施例１と同様である。
【００５５】
尚、本考案は、実施例１，２に限られるものではなく、各構成要件の具体的構成は適宜設計し得るものである。
【符号の説明】
【００５６】
１  台板
２  工具収納用ポケット部
３  ポケット形成用布材
４  開口部側補強カバー
５  下部側補強カバー
６  縁取り材
７  リベット
【図１】
0003171948.tif 000003
【図２】
0003171948.tif 000004
【図３】
0003171948.tif 000005
【図４】
0003171948.tif 000006
【図５】
0003171948.tif 000007
【図６】
0003171948.tif 000008
【図７】
0003171948.tif 000009